(57)【特許請求の範囲】
【請求項１】
ガスメータの入側と出側の配管ピッチを設定する金具本体の一部に平面部を形成し、この平面部にリセット操作の手順等に関係する解説文を印刷したシールを貼り付けて成るマイコンガスメータ用配管ピッチ設定金具。
【発明の詳細な説明】
【０００１】
【発明の属する技術分野】
本発明は、ガスメータを通過するガスの流量や地震等の大きさをマイコンを用いて監視していて、異常と判断したときにガスメータ内に組み込まれたガス弁を閉じてガス事故の発生を未然に防止する所謂マイコンガスメータに出入りする配管のピッチを設定する金具に関するものである。
【０００２】
【従来の技術】
マイコンガスメータの場合、一旦作動、つまりガス弁が閉じ、原因が判って回復、つまりリセットを行う場合には、需要家がガスメータに付いているリセットボタンを自ら操作して行うようになっている。
【０００３】
このため、ガスメータ或いはこの出入りの配管部分には、上記リセット操作を行うための手順を解説した解説文を印刷した荷札１０３が結びつけてある。図１２、図１３はこの例であって、マイコンガスメータ１００のキャップ付リセットボタン１０１の部分に解説文を印刷した荷札１０３が針金１０３ａを用いて結びつけてあり、リセットは、この荷札１０３の解説文を読みながら、リセットボタン１０１を操作し、表示ランプ１０２の点滅が消えればリセットが終了し、ガスが使用できることになっている。
【０００４】
図１２、図１３において、１０４はマイコンガスメータ１００の入側口金、１０５は出側口金、１０６は入側立管１１０に接続されたエルボ１１２を入側ユニオン１０７を用いて前記入側口金１０４に接続する接続管、１０７は出側立管１１１に接続されたエルボ１１３を出側ユニオン１０８を用いて前記出側口金１０５に接続する接続管である。
【０００５】
１０９は、配管時に接続管１０６と１０７のピッチ（間隔）をマイコンガスメータ１００の入側口金１０４と出側口金１０５のピッチに合わせておくことにより、マイコンガスメータ１００を取り付ける際にピッチが合わず、配管をいじらなければならない、と云った問題が発生しないようにしておくためのピッチ設定金具であって、このピッチ設定金具１０９は、図１４に示すように、プレートの両端側に接続管１０６、１０７が通るピッチ設定孔１０９ａ，１０９ｂが設けてあり、この孔１０９ａ，１０９ｂ内に接続管１０６、１０７を通しておくことで、ピッチが設定されるものである。図１２、図１３において、１１４は入側立管１１０に取り付けられた元栓、１１５は出側立管１１１に取り付けられた試験口部材である。
【０００６】
【発明が解決しようとする課題】
上記のとおり、従来のマイコンガスメータ１００においては、そのリセット操作用の解説文を印刷した荷札１０３をリセットボタン１０１に針金１０３ａで結び付けていることから、針金１０３ａの結び方が悪いと風で飛んだり、リセットボタン１０１のところに針金１０３ａを結びつけているため、リセットボタン１０１の操作の邪魔になったりすることがある。また、解説文１０３が後向きになっていたりすると、いちいち向きを変えて読み易くしたりする面倒さもある。
【０００７】
本発明の目的は、風でとんだり、リセットボタンの操作の邪魔になったり、向きを変えたりする面倒さがないように、配管ピッチを設定する金具の一部にリセット用の解説文を印刷したシールを貼り付けておくことにより、解説文を荷札に印刷してこれを針金を用いてリセットボタン等に結びつけて置く方式を廃止することが目的である。
【０００８】
【課題を解決するための手段】
上記目的を達成するため、請求項１に記載の発明においては、マイコンガスメータ用配管ピッチ設定金具において、ガスメータの入側と出側の配管ピッチを定する金具本体の一部に、リセット操作の手順等に関係する解説文を印刷したシールを貼り付けて成ることを特徴とするものである。
【０００９】
【作用】
配管ピッチ設定金具は、配管時にマイコンガスメータの入側と出側口金のピッチに合うように、出入り配管側のピッチを定めるために取り付けられる。配管部材は、入側と出側が接続管の場合もあれば、フレキ管利用においては入側配管に取り付けられた元栓と出側配管に取り付けられた試験口部材あるいは分配管の場合もある。又、配管ピッチ設定金具は、ピッチを定めるだけでなく、壁や支持バーあるいはポール等に対する固定部を一部に有し、配管のピッチを定めること以外に、配管を壁等に固定する機能を有するものの場合もある。
【００１０】
配管ピッチ設定金具に対するリセット操作の手順等に関係する解説文を印刷したシールを貼り付ける位置は、当該金具の正面又は上面に平面部を形成しておき、ここに貼り付けるようにする。
【００１１】
異常があってマイコンが作動すると、ガスメータの正面の表示ランプが点滅しているので、需要家はこの解説文を読みながら、リセットボタンを操作し、点滅が消えることでリセットの終了（回復）を知ることになる。
【００１２】
【実施例１】
図１は請求項１に記載の発明の実施例を示すもので、この実施例１に係る配管ピッチ設定金具１は、金属板の上半を後方に（図１）又は前方に（図２）９０°折り曲げて垂直面２と水平面３を形成し、水平面３の両サイドに配管ピッチ設定孔４、５を形成し、垂直面２の正面にリセット解説文を印刷したシール６を貼り付けたものである。
なお、シール６には、リセット解説文以外に、緊急連絡先等、その他の必要事項を印刷しておくようにしても良い。
【００１３】
図３はマイコンガスメータ１００の入側と出側の接続管１０６、１０７のピッチを設定するために上記図１の金具１を入側と出側の接続管１０６、１０７に取り付けた状態の説明図であって、マイコンガスメータ１００の入側と出側のユニオン（図１２中１０７、１０８）等は金具１の垂直面２の後方に隠れ、正面側からは見えず、体裁が良くなっている。なお、この図３において、１０１はリセットボタン、１０２は表示ランプ、１１０は入側立管、１１１は出側立管、１１２、１１３はエルボ、１１４は元栓、１１５は試験口部材である。
【００１４】
【実施例２】
本実施例２は、図４〜図６に示すように、配管ピッチ設定金具１０のピッチ設定孔１４、１５に配管部材兼用の元栓１６と試験口部材１７をネジ１８を用いて取り付け、元栓１６の後方の入口１６ｃにエルボ１１３を経由して入側立管１１０を接続し、試験口部材１７の出口１７ｄにエルボ１１４を経由して出側立管１１１を接続し、元栓１６の入側ユニオン１６ｂにマイコンガスメータ１００側の入側口金１０４を接続し、出側口金１０５に出側ユニオン１７ｂを接続するものである。
【００１５】
１３は金具１０の垂直面１１に貼り付けられたリセット解説文を印刷したシールである。
図４〜図６において、１６ａは元栓１６の取付部、１７ａは試験口部材１７の取付部であって、この取付部１６ａ，１７ａを用いて上記のとおり金具１００の孔１４、１５に夫々ネジ１８で取り付けられている。１７ｃは試験口、１７ｅは試験口１７ｃを閉塞しているプラグである。
【００１６】
【実施例３】
本実施例３は、図７、図８に示すように、ピッチ設定金具２０は垂直面から成る一板のプレート状を呈し、これに元栓２４の後方に形成した取付部２４ａと試験口部材２５の取付部２５ａをピッチ設定孔２１、２２にネジ２７を用いて取り付け、リセット解説文を印刷したシール２３は正面に来るように貼り付けたものである。なお、この実施例３の場合、入側配管は元栓２４において左方の入口２４ｃに接続され、出側配管は試験口部材２５の出口２５ｄに接続される。図７、図８において、２４ｂは入側ユニオン、２５ｂは出側ユニオン、２５ｃは試験口、２５ｅはプラグである。
【００１７】
【実施例４】
本実施例４は、図９〜図１１に示すように、ピッチ設定金具３０の上下に壁Ａに対する固定部３２、３２ａを形成してこの固定部３２、３２ａを壁Ａに対してネジ３４を用いて固定すると共に元栓３５の後方に形成した取付部３５ａをビス３７を用いて金具３０の正面であって、両サイドにピッチを定めて取り付けたもので、リセット解説文３３を印刷したシールは金具３０の両面中央に貼り付けてある。
【００１８】
この実施例４は、入側と出側にフレキ管３８、３９を接続する場合に用いられるもので、金具３０は、入側と出側の配管がフレキ管３８、３９のために支持力がないため、ピッチ設定金具３０自体を壁Ａに固定するようにした例である。図９〜図１１において、３５ｂは入側ユニオン、３５ｃはフレキ管３８をエルボ４０を経由して接続する元栓３５の接続口、３６ｄはフレキ管３９をエルボ４１を経由して接続する試験口部材３６の接続口、３６ｃは試験口、３６ｅはプラグである。
【００１９】
【発明の効果】
本発明は以上のように、ピッチ設定金具の一部に、リセット解説文を印刷したシールを貼り付けたことにより、従来の荷札状の解説文のように、風などで飛んだり、リセットボタンの操作時に邪魔になったり、リセット時に向きを変えたりする必要がない。
又、シール化されたリセット解説文は、必要な場合には剥がして解説文を交換したりすることができて便利となる。
【図面の簡単な説明】
【図１】  垂直面にリセット解説文を印刷したシールを貼着したＬ型ピッチ設定金具の説明図。
【図２】  垂直面にリセット解説文を印刷したシールを貼着したＬ型ピッチ設定金具の説明図。
【図３】  図１の金具を用いてピッチを設定し、リセット解説文が正面で読みとれるようにした取り付け例の説明図。
【図４】  元栓と試験口部材を用いて配管を行う実施例２のピッチ設定金具の説明図。
【図５】  元栓と試験口部材を用いて配管を行う実施例２のピッチ設定金具の説明図。
【図６】  元栓と試験口部材を用いて配管を行う実施例２のピッチ設定金具の説明図。
【図７】  一枚のプレートから成るピッチ設定金具を用いてピッチを設定し、シールに印刷したリセット解説文を正面で読みとれるように構成した実施例３の説明図。
【図８】  一枚のプレートから成るピッチ設定金具を用いてピッチを設定し、シールに印刷したリセット解説文を正面で読みとれるように構成した実施例３の説明図。
【図９】  フレキ管を用いて出入りの配管を行う場合に壁に対する固定を兼ねたピッチ設定金具とこれを用いて行うピッチ設定、配管例を示す実施例４の説明図。
【図１０】  フレキ管を用いて出入りの配管を行う場合に壁に対する固定を兼ねたピッチ設定金具とこれを用いて行うピッチ設定、配管を示す実施例４の説明図。
【図１１】  フレキ管を用いて出入りの配管を行う場合に壁に対する固定を兼ねたピッチ設定金具とこれを用いて行うピッチ設定、配管例を示す実施例４の説明図。
【図１２】  リセット解説文を荷札に印刷してこれをマイコンガスメータのリセットボタンに結びつけた従来例の説明図。
【図１３】  リセット解説文を荷札に印刷してこれをマイコンガスメータのリセットボタンに結びつけた従来例の説明図。
【図１４】  従来のピッチ設定金具の説明図。
【符号の説明】
１・１０・２０・３０  リセット解説文付ピッチ設定金具
６・１３・２３・３３  リセット解説文を印刷したシール
１６・２４・３５      元栓
１７・２５・３６      試験口部材
１００                マイコンガスメータ
１０１                リセットボタン
１０２                表示ランプ
【図１】
0004493785.tif 000002
【図２】
0004493785.tif 000003
【図３】
0004493785.tif 000004
【図４】
0004493785.tif 000005
【図５】
0004493785.tif 000006
【図６】
0004493785.tif 000007
【図７】
0004493785.tif 000008
【図８】
0004493785.tif 000009
【図９】
0004493785.tif 000010
【図１０】
0004493785.tif 000011
【図１１】
0004493785.tif 000012
【図１２】
0004493785.tif 000013
【図１３】
0004493785.tif 000014
【図１４】
0004493785.tif 000015